【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
対象アカウント名を含むアカウント損害報告要求を取得するステップ（Ｓ２１）と；
前記対象アカウント名に対応するアカウントに対して損害報告を行うステップ（Ｓ２２）と；
前記対象アカウント名に従って操作コードを生成するステップ（Ｓ２３）と；
前記対象アカウント名に対応するアカウントにおけるユーザのコンタクトアドレスを取得するステップ（Ｓ３１）と；
前記生成した操作コードを前記ユーザのコンタクトアドレスへ送信するステップ（Ｓ３２）と；
クライアントから送信される、前記操作コードを含むログイン要求を受信するステップと；
前記操作コードが予め設定された条件を満たすか否かを判定するステップ（Ｓ１２）と；
満たす場合、前記操作コードに対応する損害報告されたアカウントを取得するステップ（Ｓ１４）と；
ネットワークサーバ上で前記損害報告されたアカウントにログインするステップ（Ｓ１５）と；を備える、
損害報告されたアカウントのログイン方法。
【請求項２】
前記取得されるアカウント損害報告要求は、前記アカウントが漏洩または盗難のおそれがあるとユーザが察知したことにより、前記アカウントに関連付けられたユーザから取得される、
請求項１に記載のログイン方法。
【請求項３】
前記対象アカウント名に対応するアカウントに対して損害報告を行う前記ステップは：
前記アカウントを凍結するステップを備える、
請求項２に記載のログイン方法。
【請求項４】
前記ユーザのコンタクトアドレスは、ユーザの携帯電話番号、ユーザの電子メールアドレス、ユーザのインスタントメッセージングアカウントのうち少なくとも１つを含む、
請求項１に記載のログイン方法。
【請求項５】
前記対象アカウント名に従って操作コードを生成する前記ステップは：
具体的に、一意の操作コードを得るために、予め設定されたアルゴリズムを用いて前記対象アカウント名を変換するステップを備える、
請求項１に記載のログイン方法。
【請求項６】
前記対象アカウント名に従って操作コードを生成する前記ステップの後に：
前記生成した操作コードを予め設定された操作コード表に記憶するステップ（Ｓ２４）を更に備える、
請求項１に記載のログイン方法。
【請求項７】
前記予め設定された条件には、前記操作コードが予め設定された操作コード表内にあることが含まれる、
請求項１に記載のログイン方法。
【請求項８】
前記予め設定された条件には、前記操作コードを用いる回数が予め設定された閾値内の回数であることが含まれる、
請求項７に記載のログイン方法。
【請求項９】
前記操作コードは、ＱＲコード（登録商標）を含む、
請求項１に記載のログイン方法。
【請求項１０】
前記操作コードに対応する損害報告されたアカウントを取得する前記ステップは：
具体的に、前記操作コードに従ってアカウント表をクエリすることによって対応する損害報告されたアカウントナンバーを取得するステップを備える、
請求項１に記載のログイン方法。
【請求項１１】
ネットワークサーバ上で前記損害報告されたアカウントにログインする前記ステップは：
前記操作コードに従って予め設定されたアカウント許可を取得するステップと；
前記予め設定されたアカウント許可を用いて前記ネットワークサーバ上で前記損害報告されたアカウントにログインするステップと；を備える、
請求項１に記載のログイン方法。
【請求項１２】
前記予め設定されたアカウント許可は、アカウント損害報告の取り消し許可を含む、
請求項１１に記載のログイン方法。
【請求項１３】
ネットワークサーバ上で前記損害報告されたアカウントにログインする前記ステップの後に、アカウント損害報告の取り消し方法は：
アカウントログイン情報を生成し、前記アカウントログイン情報を前記クライアントへ返信するステップを更に備える、
請求項１に記載のログイン方法。
【請求項１４】
請求項１〜１３のいずれか１項に記載の方法に係るステップを実行するように構成された複数のモジュール（２０，３０，１１，１２，１３，１４，１５，１６）を備える、
損害報告されたアカウントのログイン装置。
【手続補正２】
【補正対象書類名】明細書
【補正対象項目名】００９２
【補正方法】変更
【補正の内容】
【００９２】
上記の説明は、本願の実施の形態に過ぎず、本願を限定するものではない。当業者であれば、本願は様々な変更および変形を有することができる。本願の精神および原理の範囲内でなされた任意の修正、均等物との置換、改良などは、すべて本願の特許請求の範囲に含まれるべきである。
［第１の局面］
損害報告されたアカウントのログイン方法であって：
クライアント端末から送信される、操作コードを含むログイン要求を受信するステップと；
前記操作コードが予め設定された条件を満たすか否かを判定するステップと；
満たす場合、前記操作コードに対応する損害報告されたアカウントを取得するステップと；
ネットワークサーバ上で前記損害報告されたアカウントにログインするステップと；を備える、
損害報告されたアカウントのログイン方法。
［第２の局面］
クライアント端末から送信されるログイン要求を受信する前記ステップの前に：
対象アカウント名を含むアカウント損害報告要求を取得するステップと；
前記対象アカウント名に対応するアカウントに対して損害報告を行うステップと；
前記対象アカウント名に従って操作コードを生成するステップと；を更に備える、
第１の局面に記載の方法。
［第３の局面］
前記対象アカウント名に従って操作コードを生成する前記ステップの後に：
前記対象アカウント名に対応する前記アカウントにおけるユーザのコンタクトアドレスを取得するステップと；
前記生成した操作コードを前記ユーザのコンタクトアドレスへ送信するステップと；を更に備える、
第２の局面に記載の方法。
［第４の局面］
前記ユーザのコンタクトアドレスは、ユーザの携帯電話番号、ユーザの電子メールアドレス、ユーザのインスタントメッセージングアカウントのうち少なくとも１つを含む、
第２の局面に記載の方法。
［第５の局面］
前記対象アカウント名に従って操作コードを生成する前記ステップは：
具体的に、予め設定されたアルゴリズムを用いて前記対象アカウント名を変換し、一意の操作コードを得るステップを備える、
第２の局面に記載の方法。
［第６の局面］
前記対象アカウント名に従って操作コードを生成する前記ステップの後に：
前記生成した操作コードを予め設定された操作コード表に記憶するステップを更に備える、
第２の局面に記載の方法。
［第７の局面］
前記予め設定された条件には、前記操作コードが予め設定された操作コード表内にあることが含まれる、
第１の局面に記載の方法。
［第８の局面］
前記予め設定された条件には、前記操作コードを用いる回数が予め設定された閾値回数内であることが含まれる、
第７の局面に記載の方法。
［第９の局面］
前記操作コードは、ＱＲコード（登録商標）を含む、
第１の局面に記載の方法。
［第１０の局面］
前記操作コードに対応する損害報告されたアカウントを取得する前記ステップは：
具体的に、前記操作コードに従ってアカウント表をクエリすることによって対応する損害報告されたアカウントを取得するステップを備える、
第１の局面に記載の方法。
［第１１の局面］
ネットワークサーバ上で前記損害報告されたアカウントにログインする前記ステップは：
前記操作コードに従って予め設定されたアカウント許可を取得するステップと；
前記予め設定されたアカウント許可を用いて前記ネットワーク上で前記損害報告されたアカウントにログインするステップと；を備える、
第１の局面に記載の方法。
［第１２の局面］
前記予め設定されたアカウント許可は、アカウント損害報告の取り消し許可を含む、
第１１の局面に記載の方法。
［第１３の局面］
ネットワークサーバ上で前記損害報告されたアカウントにログインする前記ステップの後に、前記アカウント損害報告取り消し方法は：アカウントログイン情報を生成し、前記アカウントログイン情報を前記クライアント端末へ返信するステップを更に備える、
第１の局面に記載の方法。
［第１４の局面］
損害報告されたアカウントのログイン装置であって：
クライアント端末から送信される、操作コードを含むログイン要求を受信するように構成された要求受付モジュールと；
前記操作コードが予め設定された条件を満たすか否かを判定するように構成された条件判定モジュールと；
前記操作コードが前記予め設定された条件を満たす場合、前記操作コードに対応する損害報告されたアカウントを取得するように構成されたアカウント取得モジュールと；
ネットワークサーバ上で前記損害報告されたアカウントにログインするように構成されたアカウントログインモジュールと；を備える、
損害報告されたアカウントのログイン装置。
［第１５の局面］
操作コード生成モジュールを更に備え、
前記要求受付モジュールが前記クライアント端末から送信される前記ログイン要求を受信する前に、前記操作コード生成モジュールは： 
対象アカウント名を備えるアカウント損害報告要求を取得し、
前記対象アカウント名に対応するアカウントに対して損害報告を行い、
前記対象アカウント名に従って操作コードを生成するように構成された、
第１４の局面に記載の装置。
［第１６の局面］
操作コード送信モジュールを更に備え、
前記操作コード生成モジュールが前記対象アカウント名に従って前記操作コードを生成した後に、前記操作コード送信モジュールは：
前記対象アカウント名に対応する前記アカウントにおけるユーザのコンタクトアドレスを取得し、
前記生成した操作コードを前記ユーザのコンタクトアドレスへ送信するように構成された、
第１５の局面に記載の装置。
［第１７の局面］
前記ユーザのコンタクトアドレスは、ユーザの携帯電話番号、ユーザの電子メールアドレス、ユーザのインスタントメッセージングアカウントのうち少なくとも１つを含む、
第１５の局面に記載の装置。
［第１８の局面］
前記操作コード送信モジュールは、具体的に、予め設定されたアルゴリズムを用いて前記対象アカウント名を変換し、一意の操作コードを得るように構成された、
第１５の局面に記載の装置。
［第１９の局面］
操作コード記憶モジュールを更に備え、
前記操作コード生成モジュールが前記対象アカウント名に従って前記操作コードを生成した後に、
前記操作コード記憶モジュールは、前記生成した操作コードを予め設定された操作コード表に記憶するように構成された、
第１５の局面に記載の装置。
［第２０の局面］
前記予め設定された条件には、前記操作コードが予め設定された操作コード表内にあることが含まれる、
第１４の局面に記載の装置。
［第２１の局面］
前記予め設定された条件には、前記操作コードを用いる回数が予め設定された閾値回数内であることが含まれる、
第２０の局面に記載の装置。
［第２２の局面］
前記操作コードは、ＱＲコード（登録商標）を含む、
第１４の局面に記載の前記装置。
［第２３の局面］
前記アカウント取得モジュールは、具体的に、前記操作コードに従ってアカウント表をクエリすることによって対応する損害報告されたアカウントを取得するように構成された、
第１４の局面に記載の装置。
［第２４の局面］
前記アカウントログインモジュールは、具合的に：
前記操作コードに従って予め設定されたアカウント許可を取得し、
前記予め設定されたアカウント許可を用いて前記ネットワークサーバ上で前記損害報告されたアカウントにログインするように構成された、
第１４の局面に記載の装置。
［第２５の局面］
前記予め設定されたアカウント許可は、アカウント損害報告の取り消し許可を含む、
第２４の局面に記載の装置。
［第２６の局面］
クライアント端末ログイン指示モジュールを更に備え、
前記アカウントログインモジュールが前記ネットワークサーバ上で前記損害報告されたアカウントにログインした後に、前記クライアント端末ログイン指示モジュールはアカウントログイン情報を生成し、前記アカウントログイン情報を前記クライアント端末へ返信するように構成された、
第１４の局面に記載の装置。